(57)【要約】【課題】  目的に応じた各種支持体に取着できて人のバランス機能、柔軟性を測定できる多機能リーチ測定器を提供すること。【解決手段】  支持体４と、支持体４に載設される測定部３と、測定部３に水平方向ヘ摺動自在に取着される水平枠６と、水平枠６の基端に交差状に取着され左右に突出する当接片５とからなるリーチ測定器２において、測定部３は支持体４に着脱可能に載設されるものとし、測定部３を支持体４から離脱して、他の支持体ヘ取り付けバランス機能の測定或いは他の機能の測定を行なえる様にした多機能リーチ測定器である。【選択図】図１
2008048913.tif 000002
【特許請求の範囲】
【請求項１】
支持体４と、支持体４に載設される測定部３と、測定部３に水平方向ヘ摺動自在に取着される水平枠６と、水平枠６の基端に交差状に取着され左右に突出する当接片５とからなるリーチ測定器２において、測定部３は支持体４に着脱可能に載設されるものとし、
測定部３を支持体４から離脱して、他の支持体ヘ取り付けバランス機能の測定或いは他の機能の測定を行なえる様にしたことを特徴とする多機能リーチ測定器。
【請求項２】
多機能リーチ測定器１にベッド７が付加併設されてなり、ベッド７は、長座位に座る被測定者を支持し、水平枠６は、被測定者の操作で移動するものであり、
測定部３は、水平枠６の移動をもって長座位体前屈測定を行なうものであることを特徴とする請求項１記載の多機能リーチ測定器。
【請求項３】
被測定者が当接する当接片５は、水平枠６に対して左右いずれの方向ヘも摺動できるものであることを特徴とする請求項１記載の多機能リーチ測定器。
【請求項４】
被測定者の操作で移動する水平枠６は、伸縮可能であって長さを調節設定できることを特徴とする請求項１記載の多機能リーチ測定器。
【請求項５】
測定部３は、支持体４の頂部に設けられ、被測定者の操作で移動する水平枠６の移動量を表示する表示器１４を有しており、
表示器１４は、測定部３の上部に設けられることを特徴とする請求項１記載の多機能リーチ測定器。
【請求項６】
測定部３が、床置スタンド２７ヘ取り付けられ、長座位体前屈測定が行なえることを特徴とする請求項１記載の多機能リーチ測定器。
【請求項７】
肋木取付具３１を介して肋木３２ヘ測定部３を取り付け可能としたことを特徴とする請求項１記載の多機能リーチ測定器。
【発明の詳細な説明】
【技術分野】
【０００１】
本発明は、人のバランス機能、柔軟性等を測定する多機能リーチ測定器に関する。
【背景技術】
【０００２】
従来の技術は、上下方向固定位置設定可能とされるともに鉛直方向に回動可能に設けられる測定腕部と、測定部３と、支持部とからなる長座位体体前屈測定装置が開示されている。
【特許文献１】特許３６６２８９８号
【発明の開示】
【発明が解決しようとする課題】
【０００３】
前記従来技術は、ベッドの横側に測定器を置くものであり、長座位前屈を測定できるものであり、測定腕部が、昇降及び回動できるものである。
しかし、従来装置は、床上に長座位で居る被測定者には使用できず、又、肋木に取着できない。又、測定部は昇降させるものではなく、所定位置に固定されており、測定値を見難い。又、測定支持柱が上方ヘ突起しており、邪魔になる。
【課題を解決するための手段】
【０００４】
本発明の目的は、目的に応じた各種支持体に取着できて人のバランス機能、柔軟性等を測定できる多機能リーチ測定器を提供することにある。
即ち本発明は、支持体４と、支持体４に載設される測定部３と、測定部３に水平方向ヘ摺動自在に取着される水平枠６と、水平枠６の基端に交差状に取着され左右に突出する当接片５とからなるリーチ測定器２において、測定部３は支持体４に着脱可能に載設されるものとし、測定部３を支持体４から離脱して、他の支持体ヘ取り付けバランス機能の測定或いは他の機能の測定を行なえる様にしたことを特徴とする多機能リーチ測定器である。
又、多機能リーチ測定器１にベッド７が付加併設されてなり、ベッド７は、長座位に座る被測定者を支持し、水平枠６は、被測定者の操作で移動するものであり、測定部３は、水平枠６の移動をもって長座位体前屈測定を行なうものである。
更に、被測定者が当接する当接片５は、水平枠６に対して左右いずれの方向ヘも摺動できるものである。
更に又、被測定者の操作で移動する水平枠６は、伸縮可能であって長さを調節設定できる。
又、測定部３は、支持体４の頂部に設けられ、被測定者の操作で移動する水平枠６の移動量を表示する表示器１４を有しており、表示器１４は、測定部３の上部に設けられる。
更に、測定部３が、床置スタンド２７ヘ取り付けられ、長座位体前屈測定が行なえる。
更に又、肋木取付具３１を介して肋木３２ヘ測定部３を取り付け可能にする。
【発明の効果】
【０００５】
本発明に係る測定部３は支持体４に着脱可能に載設されるものとし、測定部３を支持体４から離脱して、他の支持体ヘも取り付け可能にしたので、一つの測定部３でバランス機能の測定や長座位体前屈の測定が行え、好都合である。
又、長座位体前屈測定は、床面で座位姿勢をとらせて測定を行なうのが一般的であるが、膝疾患等がある被験者の場合、床面に座り、測定後立ち上がる動作が困難であるため、起立動作に支障のない一定の高さを有するベッドなどを利用して測定を行うことが想定される。
逆に、座位姿勢が不安定な被験者の場合は、測定中にベッドから床面に転落する危険を避けるため、床面で行う場合も想定される。
本発明は、上記のような測定する目的や、被験者の状態に応じて適切かつ容易に測定部３をセッティングでき、便利であり、好都合である。
又、持ち運びや収納の際には、測定部３を多機能リーチ測定器１から分解することによりコンパクトにでき、好都合である。
【０００６】
本発明は、多機能リーチ測定器１にベッド７が付加併設されてなり、ベッド７は、長座位に座る被測定者を支持し、水平枠６は、被測定者の操作で移動するものであり、測定部３は、水平枠６の移動をもって長座位体前屈測定を行なうものであるから、ベッド７を利用した長座位体前屈の測定ができ、好都合である。
【０００７】
本発明に係る被測定者が当接する当接片５は、水平枠６に対して左右いずれの方向ヘも摺動できるものであるから、当接片５の長さが短くても当接片５を左方又は右方ヘ寄せて、被測定者の前（＝被測定者の正面）に位置させることができ、被測定者は、ベッド７の端に座らなくてもよく、中央に座って長座位体前屈測定ができ、測定中にベッド７から転落する心配が無く、好都合である。
又、搬送時には当接片５の偏りを戻せば、省スペース化が図れ、好都合である。
又、ベッド７を２台並設し、ベッド７間にリーチ測定器２を設置すれば、２人の被測定者が長座位前屈測定が、安全に、交互に順次能率よくでき、好都合である。
【０００８】
本発明に係る被測定者の操作で移動する水平枠６は、伸縮可能であって長さを調節設定できるから、水平枠６を伸展させて長尺にすれば、ベッド７の縦方向の端の短手辺３４側に多機能リーチ測定器１を設置することにより、被測定者が測定器の正面から長座位体前屈測定を行なえるので、好都合である。
【０００９】
本発明に係る測定部３は、支持体４の頂部に設けられ、被測定者の操作により移動する水平枠６の移動量を表示する表示器１４を有しており、表示器１４は、測定部３の頂部に上向きに突設されるから、被測定者及び施療者は測定結果を見易く、好都合である。
【００１０】
本発明に係る測定部３は、床置スタンド２７ヘ取り付けられたものであり、床２４上の被測定者は、長座位に座って手で当接片５を押し動かすものであるから、床２４面で長座位体前屈測定ができ、ベッド７上で測定する場合に比べて、被測定者が転落する危険性が無く安全であり、好都合である。
【００１１】
本発明に係る測定部３は、肋木取付具３１を介して肋木３２ヘ取り付けられたものであり、床２４上に被測定者は、立って手で当接片５を押し動かし、又は長座位に座って手で当接片５を押し動かすものであるから、前記測定部３は多数の横木３３の内から適宜に選択した横木３３に取り付けることができ、目的や、被測定者の状態に応じて大幅な高さ調節設定をすることができ、好都合である。
【発明を実施するための最良の形態】
【００１２】
人の動的なバランス機能を測定できると共に、目的に応じた各種支持体に取着できて人の動的なバランス機能より他の機能も測定できる多機能リーチ測定器１を提供する目的を、支持体４と、支持体４に設けられる測定部３と、測定部３に水平方向ヘ摺動自在に取着される水平枠６と、水平枠６の基端に交差状に取着され左右に突出する当接片５とからなるリーチ測定器２において、測定部３は支持体４に着脱可能に設けられるものとし、測定部３を支持体４から離脱して他の支持体４ヘ取り付け、バランス機能の測定或いは他の機能の測定を行なえる様にしたものとして、実現した。
【実施例１】
【００１３】
多機能リーチ測定器１は、リーチ測定器２の測定部３を着脱可能なものとしたものであり、測定部３を離脱し、別体の他の支持体に取り付けると、被測定者のバランス機能より他の機能が測定できるものである。
図１、図２に本発明の実施例１の多機能リーチ測定器１を示している。
長座位に座った被測定者が、前屈し、前方ヘ出した手で当接片５を前方に押し出し移動させ、その移動距離から前屈を測定する。
【００１４】
実施例１は、支持体４と、支持体４に着脱可能に設けられる測定部３と、測定部３に水平方向ヘ摺動自在に取着される水平枠６と、水平枠６の基端に交差状に取着され左右に突出する当接片５とからなる多機能リーチ測定器１に、ベッド７が併設されて構成される。
【００１５】
支持体４は、床２４に置かれたベース９と、ベース９上に立設される下筒１０とからなる。支持体４は、パイプでなる支持枠１１を垂直状に支持する。支持枠１１は下筒１０内に嵌る。
【００１６】
支持体４には、測定部３の支持枠１１が嵌入されており、支持体４と支持枠１１と間には摩擦部材で構成されるフリーストップ機構（図示省略）が設けられており、手動で所定の力をもって支持枠１１を昇降できるが、通常状態では、支持枠１１は支持体４に掛止されるもので、重力では下降しない。
又、支持枠１１は、支持体４に着脱可能に設けられ、支持体４から抜き取ることができ、更に、別体の他の支持体に取着できるものである。
【００１７】
測定部３は、支持体４の頂部に設けられ、水平枠６の移動量をセンシンク゛するものである。
測定部３は、測定部本体１２と、検出器１３と、検出器１３の出力を表示する表示器１４と、測定部本体１２を支持する支持枠１１と、水平枠６を摺動可能に保持する保持部１５とからなる。支持枠１１の側面には高さを示す目盛２５が設けられる。
【００１８】
測定部３は、支持体４に着脱可能に設けられるものであり、測定部３を支持体４から離脱して、別体の他の支持体ヘ取り付け、被測定者のバランス機能の測定或いはその他の機能の測定を行なえるものである。
【００１９】
検出器１３は、測定部３内に設けられ、水平枠６の移動量を計測するものである。
検出器１３は、水平枠６に当接して回動する回動部３５と、回動部３５により回動し移動量を積算するエンコーダー１６とでなる。
【００２０】
表示器１４は、水平枠６の移動量を表示するものであり、表示器１４は、測定部３の頂部に上向きに突設される。表示器１４は、後面表示器１４ａと前面表示器１４ｂを有する。
表示器１４（＝具体例では液晶表示器）は、エンコーダー１６の出力を得て水平枠６の移動量をデジタル表示するものである。
【００２１】
表示器１４の上面に、測定を開始・終了を指示する測定スイッチ２０が設けられる。
前記表示器１４は、複数回測定した値の平均値を表示するものである。
表示器１４には、測定スイッチ２０の操作により、当接片５の現在位置を「現在値」で表示し、次のステップで、当接片５の移動後の「確定値」を表示する。
【００２２】
更に、現在表示されている値が「平均値」か「現在値」か「確定値」かの別を示す記号も上記表示値に隣接した記号表示器（図示省略）に表示される。
【００２３】
表示器１４の筐体上部には、測定スイッチ２０の他に、電源スイッチ１８、表示値を過去の記憶値に変えたりクリアしたりするクリアスイッチ１９等が設けられる。
当接片５が任意の位置で、測定スイッチ２０を投入するとその位置が測定原点となり、測定スイッチ２０は原点リセット機能を兼ねている。
【００２４】
水平枠６は、測定部３に保持され、被測定者の操作で移動するものである。
水平枠６は、外筒２１と内筒２２と、取付部２３とからなり、伸縮固定可能であって長さを調節できる。
外筒２１と内筒２２と間には摩擦部材で構成されるフリーストップ機構（図示省略）が設けられており、内筒２２は外筒２１に固定されている。
水平枠６は手動で所定の力をもって伸縮できるが、当接片５を押して水平枠６を摺動させる時は、伸縮しないものである。
【００２５】
当接片５は、測定時に被測定者の手に当接され押されるものである。
当接片５は、水平枠６の基端の取付部２３に、水平枠６の長手方向と交差状に、左右に突設される。
又、当接片５は、前記左右いずれの方向ヘも水平枠６に対して摺動できるものである。
図３に示すように、多機能リーチ測定器１の左右にそれぞれベッド７を置いた場合には、当接片５の左部及び右部のいずれも測定に使用できるので、片方のベッドで測定中に、もう一方のベッドで被測定者の入れ替えを行なうことができ、多人数の測定を行なう場合、効率的に測定を行なえる。
図１中、３４はベッド７の短手辺である。
【００２６】
多機能リーチ測定器１に係る測定部３は、支持体４から離脱して他の支持体ヘ取り付け、バランス機能の測定、或いは他の機能の測定を行なえる。
【００２７】
実施例１では、多機能リーチ測定器１で被測定者の長座位前屈を測定する。
ベッド７の横に多機能リーチ測定器１を置き、これでベッド７上の被測定者に対して長座位体前屈測定を行なう。
被測定者はベッド７の所定位置に長座位で座り、当接片５に向かう。
【００２８】
施療者は、支持枠１１を昇降させ測定部３の高さを調節する。
施療者が測定部３を持ち上げ、又は押し下げ、当接片５を被測定者に適当な高さ位置ヘ調節する。
支持枠１１は、支持体４に前記フリーストップ機構で止着される。
【００２９】
支持体４と支持枠１１の間に設けられる前記フリーストップ機構は、支持体４と支持枠１１の間に摩擦抵抗を生じさせ、該摩擦抵抗は支持体４に支持枠１１を掛止させるので、上述の支持枠１１の高さ調節が行なえる。
支持体４及び支持枠１１は、伸縮・固定可能であるから、測定部３及び当接片５は容易に高さ調節できる。
【００３０】
多機能リーチ測定器１の高さ設定の際に、当接片５を前記被測定者の略胸の高さに調節する。
当接片５を、水平枠６に対して左右いずれかの方向ヘ摺動し、当接片５の左右いずれかの突出長さを適宜に調節する。
水平枠６の内筒２２を進退させて水平枠６の長さを調節し、当接片５の位置を調節する。
【００３１】
被測定者が、長座位姿勢の定位置で、手を前方斜め下に出し、上体を前屈し、右手又は左手のいずれかの片手又は両手で、当接片５を押し、可能な限り前屈し、当接片５を前方に移動させる。
当接片５が設けられた水平枠６は、被測定者の手に押されて移動する。
【００３２】
被測定者は上体を前屈した後、被測定者は当接片５から手を離し、上体を起し、もとの姿勢に戻る。
【００３３】
当接片５は、被測定者の前方ヘ移動する手を受け止め、水平枠６に伝え、水平枠６を前方ヘ摺動させる。
前屈時の手の移動距離を、当接片５及び水平枠６の前方向移動距離から測定し、前屈の値とする。
【００３４】
検出部１２は被測定者の長座位前屈を測る。
当接片５の移動量は水平枠６の移動量と同じであり、検出部１２は、水平枠６の移動に反応して作動しその移動距離を計測する。
【００３５】
測定部３が有する表示器１４は、測定部３の頂部に上方ヘ突き出た位置から、被測定者及び施療者に向けて、水平枠６の移動量をデジタル値で表示する。
当接片５が任意の位置で、施療者が、検出部１２に結線された開始スイッチ１６を投入すると、その位置が当接片５の測定原点となる。
【００３６】
計測する当接片５の移動距離はこの測定原点からの移動距離である。
上記前屈動作を複数回（＝具体例では３回）行ない、その動作で得た当接片５の移動に係る３個値の平均値を前屈値として表示器１４に表示する。
測定作業を終了したら、適宜、水平枠６を縮め、収納状態にする。
【実施例２】
【００３７】
図４に示す本発明の実施例２は、実施例１に係るベッド７を、転倒防止台２６に代えたものである。
転倒防止台２６は、水平枠６の下方位置にあって、前方に転倒しかけた被測定者を支持するものである。
定位置に立つ被測定者が、水平挙上した手で立位姿勢のバランスを崩す直前まで、実施例２の当接片５を前方に移動させ、その移動距離から被測定者のバランス機能が測定される。
上記バランス測定の動作を３回行いその平均値をバランス測定値とする。
【００３８】
被測定者は、バランスを崩して前方に転倒しそうになった場合には、転倒防止台２６に手を付き又は凭れ掛かる。転倒防止台２６は被測定者が床２４ヘ転倒するのを防止し安全を図る。
【実施例３】
【００３９】
図５に示す本発明の実施例３は、実施例１に係るベース９及び支持体４を、床置スタンド２７に代えたものである。
実施例３は測定部３を支持体４から離脱し、該測定部３を別体の床置スタンド２７に取着したものである。
床置スタンド２７は、床ベース２８と、床ベース２８に立設される床支持体２９と、床支持体２９に挿入される支持枠１１を掛止する掛止具３０と、被測定者の足裏を受け止める足受１７とからなる。
図５中、３６は壁である。
【００４０】
実施例３は、床２４上で被測定者が長座位に座って、前方に伸ばした手で当接片５を前方ヘ押し動かし、長座位体前屈測定を行なう。
【実施例４】
【００４１】
図６に示す実施例４は、実施例１に係る支持体４を、肋木取付具３１及び肋木３２に代えたものである。
即ち、実施例４は測定部３を、支持体４から離脱し、該測定部３を別体の肋木取付具３１を介して肋木３２に取着したものである。
【００４２】
詳しくは、測定部３の支持枠１１を肋木取付具３１に取り付け、肋木取付具３１を肋木３２の横木３３に取着する。
肋木取付具３１を高い位置の横木３３に取着するか低い位置の横木３３に取着するかにより測定部３の高さが大幅に変る。
測定部３の高さを高くすれば、被測定者は床２４上に立ってバランス測定ができる。
測定部３の高さを低くすれば、被測定者は床２４上に長座位で座って体前屈測定ができる。
【産業上の利用可能性】
【００４３】
支持体４と、支持体４に載設される測定部３と、測定部３に水平方向ヘ摺動自在に取着される水平枠６と、水平枠６の基端に交差状に取着され左右に突出する当接片５とからなるリーチ測定器２において、測定部３は支持体４に着脱可能に載設されるものとし、測定部３を支持体４から離脱して、他の支持体ヘ取り付けバランス機能の測定或いは他の機能の測定を行なえる様にした多機能リーチ測定器１によって、目的に応じた各種支持体に取着できて人のバランス機能、柔軟性を測定できるものに適用できる。
【図面の簡単な説明】
【００４４】
【図１】本発明の実施例１の斜視図である。
【図２】本発明の実施例１の測定部３の部分図である。
【図３】本発明の実施例１の平面図である。
【図４】本発明の実施例２の斜視図である。
【図５】本発明の実施例３の右側面図である。
【図６】本発明の実施例４の正面図である。
【符号の説明】
【００４５】
１  多機能リーチ測定器
２  リーチ測定器
３  測定部
４  支持体
５  当接片
６  水平枠
７  ベッド
１４  表示器
２４  床
２６  転倒防止
２７  床置スタンド
３１  肋木取付具
３２  肋木
【図１】
2008048913.tif 000003
【図２】
2008048913.tif 000004
【図３】
2008048913.tif 000005
【図４】
2008048913.tif 000006
【図５】
2008048913.tif 000007
【図６】
2008048913.tif 000008